(57)【要約】【課題】本発明は、印刷情報に基づいて所定大の印刷媒体に印刷を行う印刷システムに関し、所望の大きさの印刷媒体を随時提供可能とし、また排出される印刷媒体全面への印刷情報の印刷表示を可能とさせることを目的とする。【解決手段】印刷情報に基づく印刷機構部２２による印刷が、印刷処理部２１の制御により当該印刷情報に含まれるサイズ以上の印刷媒体に対して行われる場合に、給紙部４２より供給される印刷媒体の所定部分を断裁部４３により断裁して当該印刷情報に含まれるサイズとさせる構成とする。【選択図】　図１
2004090400.tif 000002
【特許請求の範囲】
【請求項１】
印刷サイズデータを含む印刷情報に基づき、供給、搬送される印刷媒体に印刷を行い、排出させる印刷システムであって、
異なるサイズの印刷媒体が複数サイズで枚葉毎にセットされ、所定サイズの当該印刷媒体を枚葉毎に供給する媒体供給手段と、
少なくとも、前記印刷情報に含まれる印刷媒体のサイズが不存在のときに、それ以上のサイズの前記印刷媒体を特定し、当該特定した印刷媒体を前記媒体供給手段より供給させて印刷させると共に、供給された印刷媒体を前記印刷サイズデータに基づいて断裁させる制御処理手段と、
前記制御処理手段が前記印刷情報に含まれる印刷媒体のサイズより大きいサイズの印刷媒体を特定した場合に、当該印刷媒体の所定部分を断裁して当該印刷情報で指定されたサイズの印刷媒体とさせる断裁手段と、
を有することを特徴とする印刷システム。
【請求項２】
印刷サイズデータを含む印刷情報に基づき、供給、搬送される所定の印刷媒体に印刷を行い、排出させる印刷システムであって、
所定数の定型サイズを含むサイズの印刷媒体がセットされて供給する媒体供給手段と、
少なくとも、前記媒体供給手段より前記印刷媒体を供給させ、前記印刷情報に基づいて所定部分に印刷させると共に、供給された印刷媒体を前記印刷サイズデータに基づいて断裁させる制御処理手段と、
前記印刷媒体に対し、少なくとも連続する２辺を断裁して前記印刷情報で指定されたサイズの印刷媒体とさせる断裁手段と、
を有することを特徴とする印刷システム。
【請求項３】
請求項２記載の印刷システムにおいて、前記媒体供給手段は、前記印刷媒体が枚葉で所定枚数セットされ、または、前記印刷媒体がロール状にセットされることを特徴とする印刷システム。
【請求項４】
印刷サイズデータを含む印刷情報に基づき、供給、搬送される所定の印刷媒体に印刷を行い、排出させる印刷システムであって、
少なくとも、所定数の定型サイズを含むサイズの印刷媒体がセットされて供給する媒体供給手段と、
少なくとも、前記媒体供給手段より前記印刷媒体を供給させ、前記印刷情報に基づいて所定部分に複数頁分を印刷させると共に、供給された印刷媒体を前記印刷サイズデータに基づいて断裁させる制御処理手段と、
前記印刷媒体に対し、所定部分を断裁して前記印刷情報で指定されたサイズの印刷媒体とさせる断裁手段と、
を有することを特徴とする印刷システム。
【発明の詳細な説明】
【０００１】
【発明の属する技術分野】
本発明は、印刷情報に基づいて所定大の印刷媒体に印刷を行う印刷システムに関する。
【０００２】
【従来の技術】
近年、用紙等の印刷媒体に印刷を行うシステムとして、印刷機、プリンタ、コピー機等がある。これらは、例えば定型大の用紙が単一または大きさ毎に複数セットされ、印刷情報で指定された大きさの用紙に対して印刷を行うものが殆どである。このような印刷システムでは、所望の大きさの用紙（印刷媒体）がセットされていなくとも、当該所望の大きさの印刷物が提供されることが望まれている。また、特にドラムが使用される印刷システムでは、余白部分が必要とされており、用途に応じて印刷媒体全面に情報が印刷できることも望まれている。
【０００３】
従来、例えばコンピュータでの作成物を印刷するプリンタ等の印刷システムは、定型大の用紙が複数セット可能となっているものが多く、当該作成物の印刷情報に用紙の大きさの指定情報が含まれ、当該用紙大の情報に応じてセットされている用紙より所望大の用紙が選択されて印刷が行われるのが一般的である。そして、指定の大きさの用紙がセットされていなければ、当該用紙がセットされるまで印刷が行われないようになっている。
【０００４】
一方、印刷システムのうち、特に印刷方式が感光ドラム等のドラムを使用している場合には、当該ドラムへの傷の発生や、塵埃の発生を防止するために、余白部分を強制的に設けるのが一般的であり、上記コンピュータ上では当該余白部分の範囲内で印刷情報の作成が行われる。
【０００５】
【発明が解決しようとする課題】
しかしながら、上記印刷情報で指定される大きさの用紙がプリンタ等にセットされていないときには印刷が行われないことから、これに応じた大きさの用紙をセットさせるという作業を要して効率低下を招くという問題がある。また、画像等の印刷情報は用紙全面に印刷したい場合もあり、上記のような余白部分の強制的な設定では用紙全面に印刷を行うことができないという問題がある。
【０００６】
そこで、本発明は上記課題に鑑みなされたもので、所望の大きさの印刷媒体を随時提供可能とし、また排出される印刷媒体全面への印刷情報の印刷表示を可能とさせる印刷システムを提供することを目的とする。
【０００７】
【課題を解決するための手段】
上記課題を解決するために、請求項１の発明では、印刷サイズデータを含む印刷情報に基づき、供給、搬送される印刷媒体に印刷を行い、排出させる印刷システムであって、異なるサイズの印刷媒体が複数サイズで枚葉毎にセットされ、所定サイズの当該印刷媒体を枚葉毎に供給する媒体供給手段と、少なくとも、前記印刷情報に含まれる印刷媒体のサイズが不存在のときに、それ以上のサイズの前記印刷媒体を特定し、当該特定した印刷媒体を前記媒体供給手段より供給させて印刷させると共に、供給された印刷媒体を前記印刷サイズデータに基づいて断裁させる制御処理手段と、前記制御処理手段が前記印刷情報に含まれる印刷媒体のサイズより大きいサイズの印刷媒体を特定した場合に、当該印刷媒体の所定部分を断裁して当該印刷情報で指定されたサイズの印刷媒体とさせる断裁手段と、を有する構成とする。
【０００８】
請求項２の発明では、印刷サイズデータを含む印刷情報に基づき、供給、搬送される所定の印刷媒体に印刷を行い、排出させる印刷システムであって、所定数の定型サイズを含むサイズの印刷媒体がセットされて供給する媒体供給手段と、少なくとも、前記媒体供給手段より前記印刷媒体を供給させ、前記印刷情報に基づいて所定部分に印刷させると共に、供給された印刷媒体を前記印刷サイズデータに基づいて断裁させる制御処理手段と、前記印刷媒体に対し、少なくとも連続する２辺を断裁して前記印刷情報で指定されたサイズの印刷媒体とさせる断裁手段と、を有する構成とする。
【０００９】
請求項３の発明では、請求項２記載の印刷システムにおいて、前記媒体供給手段は、前記印刷媒体が枚葉で所定枚数セットされ、または、前記印刷媒体がロール状にセットされる構成である。
【００１０】
請求項４の発明では、印刷サイズデータを含む印刷情報に基づき、供給、搬送される所定の印刷媒体に印刷を行い、排出させる印刷システムであって、少なくとも、所定数の定型サイズを含むサイズの印刷媒体がセットされて供給する媒体供給手段と、少なくとも、前記媒体供給手段より前記印刷媒体を供給させ、前記印刷情報に基づいて所定部分に複数頁分を印刷させると共に、供給された印刷媒体を前記印刷サイズデータに基づいて断裁させる制御処理手段と、前記印刷媒体に対し、所定部分を断裁して前記印刷情報で指定されたサイズの印刷媒体とさせる断裁手段と、を有する構成とする。
【００１１】
このように、印刷情報に基づく印刷が、当該印刷情報に含まれるサイズ以上の印刷媒体に対して行われる場合に、供給される印刷媒体の所定部分を断裁して当該印刷情報に含まれるサイズとさせる。すなわち、供給される印刷媒体の所定部分を断裁して当該印刷情報に含まれるサイズとさせることで印刷後に排出される印刷媒体が所望の大きさとして随時提供可能となり、また、印刷媒体の所定部分を断裁させることから排出される印刷媒体全面に印刷情報を印刷表示させることが可能となるものである。
【００１２】
【発明の実施の形態】
以下、本発明の好ましい実施形態を図により説明する。本実施形態では、印刷システムとして例えばコンピュータに接続されるプリンタを一例として示すが、印刷機や複写機等、他の印刷システムに適用することができるものである。また、本実施形態では、印刷媒体として用紙を一例として示すが、フィルム等のおよそ印刷対象とされる媒体であって、断裁可能な媒体にも適用することができるものである。
【００１３】
図１に、本発明に係る印刷システムのブロック構成図を示す。図１において、印刷システム１１は、例えばコンピュータ１２に接続され、当該コンピュータ１２より印刷情報が提供され、また必要に応じて当該コンピュータ１２に印刷不能信号を出力する。この印刷情報は、例えばコンピュータ１２において、文章作成ソフトで作成された情報や、作成、編集された画像情報等であり、当該印刷情報には印刷される印刷媒体（用紙）のサイズを指定した印刷サイズデータが含まれる。
【００１４】
上記印刷システム１１は、適宜、制御処理手段である印刷処理部２１と印刷機構部２２を備える。印刷処理部２１は、印刷処理のためのデータ処理や各種機構を駆動するための制御信号の生成等を主にプログラム処理するもので、適宜、印刷制御手段３１、バス３２、インタフェース（ＩＦ）３３、記憶部３４、編集手段３５、印刷データ送出手段３６、用紙選択手段３７、断裁駆動制御手段３８、搬送駆動制御手段３９および所定のフォントデータ４０を備える。
【００１５】
上記印刷制御手段３１は、この印刷システム１１を統括的に制御するもので、そのためのプログラムが格納される。上記ＩＦ３３は、コンピュータ１２より印刷情報を入力し、適宜コンピュータ１２に対して印刷不能信号を出力する。また、記憶部３４は、入力される印刷情報を一端格納するものであり、上記印刷制御手段３１による制御のためのプログラムを展開する作業領域でもある。
【００１６】
順番は相前後するが、上記用紙選択手段３７は、後述の印刷機構部２２の給紙部４２にセットされた用紙のサイズを認識し、適宜、上記印刷情報に含まれる用紙サイズが不存在のときに、それ以上のサイズの用紙を特定し、当該給紙部４２より給紙を行わせる。上記編集手段３５は、入力される印刷情報に基づいて、上記用紙選択手段３７で適宜特定された用紙に対して、何れの部分に印刷内容を印刷するか、当該印刷情報に含まれる用紙サイズとして排出させるために何れの部分を断裁するかの編集を行う。そして、印刷データ送出手段３６は、印刷情報の印刷内容に応じて適宜フォントデータ４０を参照し、また上記編集手段３５で編集された印刷箇所のデータに基づいて印刷の最終的なものとした印刷データをバッファ等によりイメージデータに展開して印刷機構部２２の印刷部４１に送出する。
【００１７】
上記断裁駆動制御手段３８は、上記編集手段３５で編集された断裁情報に基づいて、後述の印刷機構部２２の断裁部４３を駆動するための制御駆動信号を生成する。また、搬送駆動制御手段３９は、上記給紙部４２より供給される印刷対象の用紙を、排出まで搬送させる制御駆動信号を生成する。そして、上記フォントデータ４０は、文字に対応する種々のフォントのデータが格納されるもので、上記印刷情報に文字を含む場合に参照される。
【００１８】
一方、上記印刷機構部２２は、印刷を行うのに必要なメカニカルな機構を備えるもので、適宜、印刷部４１、媒体供給手段である給紙部４２、断裁手段である断裁部４３および用紙搬送部４４を備える。上記印刷部４１は、当該印刷システム１１が例えばレーザプリンタとされる場合として、当該レーザプリンティングを行う公知の機構で構成される。
【００１９】
上記給紙部４２は、異なるサイズの用紙が複数サイズで枚葉毎にセットされて上記用紙選択手段３７で指定された所定サイズの用紙を枚葉毎に供給し、または、所定数の定型サイズ（例えばＡ５サイズ、Ａ４サイズ、Ａ３サイズ、Ｂ５サイズ、Ｂ４サイズ）を含むサイズの用紙が単一段または複数段で所定枚数セットされて供給する。上記断裁部４３は、上記断裁駆動制御手段３８で生成された制御駆動信号に基づいて、用紙の指定された部分を断裁して上記印刷情報で指定されたサイズの用紙とするもので、その構成の概念は図２で説明する。そして、用紙搬送部４４は、上記搬送駆動制御手段３９で生成された制御駆動信号に基づいて、給紙部４２より供給された用紙を排出まで搬送するものである。
【００２０】
ここで、図２に、図１の印刷システムにおける断裁部の説明図を示す。図２（Ａ）は断裁機構要素の斜視概念図、図２（Ｂ）は概念図である。図２（Ａ）において、断裁部４４として、用紙５１の搬送方向と垂直方向に断裁を行う直線裁ち刃５２と、用紙搬送方向に断裁を行う２つの回転刃５３，５４とが主要部を構成する。直線裁ち刃５２は、図示しない駆動手段により上下動され、２つの回転刃５３，５４は、図示しない駆動手段により上下動すると共に、用紙搬送方向と垂直方向に移動自在とされる。
【００２１】
すなわち、図２（Ｂ）に示すように、用紙５１は所定数の搬送ローラにより搬送され、当該用紙５１に対して断裁箇所（用紙搬送方向と垂直方向）に回転刃５３，５４が配置され、下降されて回転させることで搬送方向の側部部分の断裁が行われ、これが搬送ローラにより上記直線裁ち刃５２の下方に位置されたときに、当該直線裁ち刃５２が下降されて用紙搬送方向と垂直方向に当該用紙５１の前後部分で断裁が行われるもので、これにより上記印刷情報で指定されたサイズの用紙とされるものである。この場合、回転刃５３，５４や適宜直線裁ち刃５２で断裁された切りカス５１Ａは図示しない収納部に回収される。このような断裁部４４は、当該印刷システム１１における印刷部４１による印刷の前段または後段に配置される。以下の第１および第２実施形態では印刷部４１による印刷処理の後段に配置させた場合を示している。
【００２２】
続いて、図３に、本発明に係る印刷システムにおける印刷および断裁の第１実施形態の説明図を示す。図３（Ａ）は、前提として給紙部４２には異なるサイズの印刷媒体が複数サイズで枚葉毎にセットされるもので、例えばＡ５〜Ａ３サイズの用紙５１がセットされ、例えばＢ５サイズの用紙５１がセットされておらず、またはセットされていたＢ５サイズの用紙が使用されて空状態となっているものとしている。
【００２３】
そして、印刷情報における印刷サイズが、例えばＢ５サイズであるとすると、Ｂ５サイズの用紙が不存在であることから、印刷対象の用紙５１がＡ４サイズのものと特定され、当該Ａ４サイズの用紙５１が供給、搬送されて印刷情報が印刷される。この場合、上記編集手段３５において編集、設定した印刷エリアを、例えば１つの端点を基準にして印刷するものとして、当該編集手段３５においてＢ５サイズとするための断裁位置ｘ１、ｙ１が設定され、用紙搬送方向と垂直な方向で直線裁ち刃５２により断裁ｘ１を行わせ、用紙搬送方向で回転刃５３により断裁ｙ１を行わせる。すなわち、この断裁によって得られた印刷済の用紙６１が、あたかも当初よりＢ５サイズの用紙に印刷されたもののように排出されるものである。
【００２４】
上記図３（Ａ）で示した断裁では、印刷時の強制的な余白部分が残される。そこで、印刷内容が画像等で、例えばＢ５サイズ全面に印刷して当該余白部分を不要とする場合には、図３（Ｂ）に示すように、Ａ４サイズの用紙５１に必然的余白部分を含めて当該印刷内容がＢ５サイズ全面となるように印刷し、これを上記編集手段３５においてＢ５サイズ上の余白無しの断裁位置ｘ１，ｘ２，ｙ１，ｙ２を設定することにより、用紙搬送方向と垂直な方向で直線裁ち刃５２により断裁ｘ１，ｘ２を順次行わせ、用紙搬送方向で回転刃５３により断裁ｙ１，ｙ２を行わせる。この断裁によって得られた印刷済の用紙６１が、Ｂ５サイズの用紙全面に印刷された状態として排出されるものである。
【００２５】
そこで、図４に、図３の印刷および断裁における印刷処理部の処理フローチャートを示す。図４において、まず、用紙選択手段３７が当該印刷システム１１にセットされている用紙サイズのデータを印刷機構部２２の給紙部４２より取得する（ステップ（Ｓ）１）。ここで、コンピュータ１２より印刷サイズデータを含む印刷情報を取得して記憶部３４に記憶すると（Ｓ２）、用紙選択手段３７が当該印刷情報中の印刷サイズデータと、給紙部４２からの用紙サイズデータを比較し（Ｓ３）、同じサイズが存在するか否かを判断する（Ｓ４）。同じサイズの用紙が無く（Ｓ４）、さらに印刷サイズより大のサイズの用紙が上記給紙部４２に存在しない場合には（Ｓ５）、用紙選択手段３７（編集手段３５でもよい）が印刷不能信号を生成してコンピュータ１２に送信して終了する（Ｓ６）。
【００２６】
一方、同じサイズの用紙がある場合（Ｓ４）、または同じサイズの用紙が不存在で給紙部４２に当該印刷サイズより大のサイズの用紙が存在する場合（Ｓ５）、編集手段３５が給紙される用紙の印刷エリアを特定し、これに基づいて印刷データ送出手段３６が当該印刷エリアを含めた印刷データ（展開したイメージデータ）を印刷機構部２２の印刷部４１に送出すると共に、用紙選択手段３７が給紙部４２に用紙選択信号と供給信号を送出し、さらに搬送駆動制御手段３９が用紙搬送部４４に用紙搬送信号を送出する（Ｓ７）。他方で、編集手段３５からは断裁駆動制御手段３８に対して、断裁を行わせる場合には上記のような断裁位置ｘ１，ｘ２，ｙ１，ｙ２の情報を送出する。なお、編集手段３５において、上記印刷サイズと同一の用紙サイズが存在する場合には断裁情報は作成されない。
【００２７】
上記印刷部４１に上記印刷データが送出され、用紙が搬送されると、当該印刷部４１で印刷が開始され、印刷終了信号が印刷データ送出手段３６より印刷制御手段３１に入力されたときに（Ｓ８）、断裁駆動制御手段３８において断裁情報が編集手段３５より送られず、断裁を行う必要がない場合には終了する（Ｓ９）。一方、断裁情報がある場合には（Ｓ９）、当該断裁情報にしたがった断裁位置への駆動信号と断裁タイミング信号を断裁部４３に送出する（Ｓ１０）。この場合、ｘ方向（用紙搬送方向と垂直方向）の断裁を行う場合には（Ｓ１１）、断裁駆動制御手段３８において当該ｘ方向の断裁信号を断裁部４３に送出すると共に、搬送駆動制御手段３９からは用紙搬送を一旦停止させる用紙停止信号が用紙搬送部４４に送出されるものである（Ｓ１２）。
【００２８】
続いて、図５に、図３の印刷および断裁における印刷機構部の動作フローチャートを示す。図５において、まず、給紙部４２が用紙選択手段３７に対してセットされている用紙サイズのデータを送出し（Ｓ２１）、給紙部４２は当該用紙選択手段３７より印刷対象の印刷用紙データを取得してセットされている用紙のうち、指定されたサイズの用紙供給を特定する（Ｓ２２）。そこで、給紙部４２において取得した印刷用紙データに基づいて対応のサイズの用紙を供給し、搬送駆動制御手段３９からの信号により用紙搬送部４４が当該給紙部４２より供給された用紙を搬送する（Ｓ２３）。
【００２９】
また、印刷部４１には、印刷データ送出手段３６より送られてくる印刷データ（展開したイメージデータ）に基づいて、上記搬送されてくる用紙に対して印刷を開始する（Ｓ２４）。当該印刷部４１において印刷が終了すると、終了信号が印刷データ送出手段３６より印刷制御手段３１に送出される（Ｓ２５）。印刷が終了した後、断裁部４３において、ｘ方向（用紙搬送方向と垂直方向）に断裁する旨の断裁信号が断裁駆動制御手段３８より送られてきた場合（Ｓ２６）、搬送駆動制御手段３９からの搬送停止信号により用紙搬送部４４が用紙搬送を停止させ、上記直線裁ち刃５２を下降させて断裁を行う（Ｓ２７）。
【００３０】
また、印刷が終了した後、断裁部４３において、ｙ方向（用紙搬送方向）に断裁する旨の断裁信号が断裁駆動制御手段３８より送られてきた場合（Ｓ２８）、断裁位置情報にしたがって回転刃５３，５４を搬送方向と垂直方向に移動させて配置させ、回転させることにより断裁を行う（Ｓ２９）。これによって、断裁が終了し（Ｓ３０）、排出されるものである（Ｓ３１）。一方、ｘ方向にもｙ方向にも断裁を行わない場合には（Ｓ２６，Ｓ２８）、そのまま排出されるものである（Ｓ３０，Ｓ３１）。
【００３１】
このように、印刷サイズと同一サイズの用紙がセットされていなくとも、そのサイズ以上の用紙がセットされている場合には、供給される用紙の所定部分を断裁して当該印刷情報に含まれるサイズとさせることで印刷後に排出される用紙があたかも当初より同一サイズの用紙で印刷されたものとなり、印刷された用紙が所望の大きさとして随時提供可能とさせることができ、また、用紙の所定部分を断裁させることから排出される用紙全面に印刷情報を印刷表示させることができるものである。
【００３２】
次に、図６に、本発明に係る印刷システムにおける印刷および断裁の第２実施形態の説明図を示す。本第２実施形態では、ここで示される印刷媒体が用紙として上記給紙部４２に枚葉毎に所定枚数セットされている場合を示すが、当該用紙がロール状で連続的に供給される場合にも適用することができるものである。また、本第２実施形態のおける印刷システムは、基本的には図１に示す印刷システム１１と同様であり、給紙部４２に複数サイズの用紙をセットさせてもよいが、ここでは少なくとも単一サイズでよく、当該セットされる用紙のサイズデータを編集手段３５に送出させることとしている。したがって上記印刷システム１１における用紙選択手段３７を省略することができるものである。
【００３３】
図６（Ａ）、（Ｂ）において、前提として給紙部４２には上記のような複数の定型サイズ（Ａ４サイズ、Ｂ５サイズ等）を含むサイズ、すなわち適宜大きい（例えばＡ３サイズ、Ｂ４サイズ、または任意のサイズ）の用紙が枚葉毎に所定枚数セットされるものとしている。
【００３４】
すなわち、図６（Ａ）に示すように、印刷情報における印刷サイズが、例えばＡ４サイズであるとすると、当該Ａ４サイズより大きいサイズの用紙７１が上記給紙部４２より供給され、当該用紙７１が供給、搬送されて印刷情報が印刷される。この場合、上記編集手段３５において編集、設定した印刷エリアを、例えば１つの端点を基準にして印刷するものとして、当該編集手段３５においてＡ４サイズとするための断裁位置ｘ１、ｙ１が設定され、用紙搬送方向と垂直な方向で直線裁ち刃５２により断裁ｘ１を行わせ、用紙搬送方向で回転刃５３により断裁ｙ１を行わせる。この断裁によって得られた印刷済の用紙７１が、あたかも当初よりＡ４サイズの用紙に印刷されたもののように排出されるものである。
【００３５】
また、印刷内容が画像等で、例えばＡ４サイズ全面に印刷して当該余白部分を不要とする場合には、図６（Ｂ）に示すように、用紙７１に必然的余白部分を含めて当該印刷内容がＡ４サイズ全面となるように印刷され、これを上記編集手段３５においてＡ４サイズ上で余白無しの断裁位置ｘ１，ｘ２，ｙ１，ｙ２を設定することにより、用紙搬送方向と垂直な方向で直線裁ち刃５２により断裁ｘ１，ｘ２を順次行わせ、用紙搬送方向で回転刃５３により断裁ｙ１，ｙ２を行わせる。この断裁によって得られた印刷済の用紙７２が、Ａ４サイズの用紙全面に印刷された状態として排出されるものである。
【００３６】
そこで、図７に、図６の印刷および断裁における印刷処理部の処理フローチャートを示す。図７において、まず、編集手段３５が当該印刷システム１１にセットされている用紙サイズのデータを印刷機構部２２の給紙部４２より取得する（Ｓ４１）。ここで、コンピュータ１２より印刷サイズデータを含む印刷情報を取得して記憶部３４に記憶すると（Ｓ４２）、編集手段３５が印刷サイズ以上の大きさの用紙がセットされているかを判断する（Ｓ４３）。対応の用紙が不存在で、またはセットされている用紙サイズが印刷サイズより小の場合には（Ｓ４３）、用紙無しによる印刷不能信号を生成してコンピュータ１２に送信して終了する（Ｓ４４）。
【００３７】
一方、印刷サイズ以上のサイズの用紙が存在する場合（Ｓ４３）、編集手段３５が給紙される用紙の印刷エリアを特定し、これに基づいて印刷データ送出手段３６が当該印刷エリアを含めた印刷データ（展開したイメージデータ）を印刷機構部２２の印刷部４１に送出すると共に、給紙部４２に供給信号を送出し、さらに搬送駆動制御手段３９が用紙搬送部４４に用紙搬送信号を送出する（Ｓ４５）。また、編集手段３５からは断裁駆動制御手段３８に対して、断裁を行わせる場合には上記のような断裁位置ｘ１，ｘ２，ｙ１，ｙ２の情報を送出する。
【００３８】
上記印刷部４１に上記印刷データが送出され、用紙が搬送されると、当該印刷部４１で印刷が開始され、印刷終了信号が印刷データ送出手段３６より印刷制御手段３１に入力されたときに（Ｓ４６）、断裁駆動制御手段３８において断裁情報が編集手段３５より送られてこず、断裁を行う必要がない場合には終了する（Ｓ４７）。一方、断裁情報がある場合には（Ｓ４７）、当該断裁情報にしたがった断裁位置への駆動信号と断裁タイミング信号を断裁部４３に送出する（Ｓ４８）。この場合、ｘ方向（用紙搬送方向と垂直方向）の断裁を行う場合には（Ｓ４９）、断裁駆動制御手段３８において当該ｘ方向の断裁信号を断裁部４３に送出すると共に、搬送駆動制御手段３９からは用紙搬送を一旦停止させる用紙停止信号が用紙搬送部４４に送出されるものである（Ｓ５０）。
【００３９】
続いて、図８に、図６の印刷および断裁における印刷機構部の動作フローチャートを示す。図８において、まず、給紙部４２が編集手段３５に対して用紙セットの有無およびセットされている用紙サイズのデータを送出し（Ｓ５１）、給紙部４２において印刷データ送出手段３６からの指示により用紙を供給し、搬送駆動制御手段３９からの信号により用紙搬送部４４が当該給紙部４２より供給された用紙を搬送する（Ｓ５２）。
【００４０】
また、印刷部４１には、印刷データ送出手段３６より送られてくる印刷データ（展開したイメージデータ）に基づいて、上記搬送されてくる用紙に対して印刷を開始する（Ｓ５３）。当該印刷部４１において印刷が終了すると、終了信号が印刷データ送出手段３６より印刷制御手段３１に送出される（Ｓ５４）。印刷が終了した後、断裁部４３において、ｘ方向（用紙搬送方向と垂直方向）に断裁する旨の断裁信号が断裁駆動制御手段３８より送られてきた場合（Ｓ５５）、搬送駆動制御手段３９からの搬送停止信号により用紙搬送部４４が用紙搬送を停止させ、上記直線裁ち刃５２を下降させて断裁を行う（Ｓ５６）。
【００４１】
また、印刷が終了した後、断裁部４３において、ｙ方向（用紙搬送方向）に断裁する旨の断裁信号が断裁駆動制御手段３８より送られてきた場合（Ｓ５７）、断裁位置情報にしたがって回転刃５３，５４を搬送方向と垂直方向に移動させて配置させ、回転させることにより断裁を行う（Ｓ５８）。これによって、断裁が終了し（Ｓ５９）、排出されるものである（Ｓ６０）。一方、ｘ方向にもｙ方向にも断裁を行わない場合には（Ｓ５５，Ｓ５６）、そのまま排出されるものである（Ｓ５９，Ｓ６０）。
【００４２】
このように、所定の印刷サイズより大のサイズの用紙をセットさせておき、供給される用紙の所定部分を断裁して当該印刷情報に含まれるサイズとさせることで、上記同様に、印刷後に排出される用紙があたかも当初より同一サイズの用紙で印刷されたものとなり、印刷された用紙が所望の大きさとして随時提供可能とさせることができ、また、用紙の所定部分を断裁させることから排出される用紙全面に印刷情報を印刷表示させることができるものである。さらに、印刷サイズの複数倍のサイズの用紙をセットさせておき、当該用紙に複数頁分を印刷させ、断裁部で印刷サイズに断裁させることにより、一度の印刷で複数頁分の印刷を行わせることができるものである。
【００４３】
【発明の効果】
以上のように、本発明によれば、印刷情報に基づく印刷が、当該印刷情報に含まれるサイズ以上の印刷媒体に対して行われる場合に、供給される印刷媒体の所定部分を断裁して当該印刷情報に含まれるサイズとさせることにより、印刷後に排出される印刷媒体を所望の大きさとして随時提供させることができ、また、排出される印刷媒体全面に印刷情報を印刷表示させることができるものである。
【図面の簡単な説明】
【図１】本発明に係る印刷システムのブロック構成図である。
【図２】図１の印刷システムにおける断裁部の説明図である。
【図３】本発明に係る印刷システムにおける印刷および断裁の第１実施形態の説明図である。
【図４】図３の印刷および断裁における印刷処理部の処理フローチャートである。
【図５】図３の印刷および断裁における印刷機構部の動作フローチャートである。
【図６】本発明に係る印刷システムにおける印刷および断裁の第２実施形態の説明図である。
【図７】図６の印刷および断裁における印刷処理部の処理フローチャートである。
【図８】図６の印刷および断裁における印刷機構部の動作フローチャートである。
【符号の説明】
１１　　　　　　　印刷システム
１２　　　　　　　コンピュータ
２１　　　　　　　印刷処理部
２２　　　　　　　印刷機構部
３１　　　　　　　印刷制御手段
３５　　　　　　　編集手段
３６　　　　　　　印刷データ送出手段
３７　　　　　　　用紙選択手段
３８　　　　　　　断裁駆動制御手段
３９　　　　　　　搬送駆動制御手段
４１　　　　　　　印刷部
４２　　　　　　　給紙部
４３　　　　　　　断裁部
４４　　　　　　　用紙搬送部
５１，７１　　　　供給用紙
５２　　　　　　　直線裁ち刃
５３，５４　　　　回転刃
【図１】
2004090400.tif 000003
【図２】
2004090400.tif 000004
【図３】
2004090400.tif 000005
【図４】
2004090400.tif 000006
【図５】
2004090400.tif 000007
【図６】
2004090400.tif 000008
【図７】
2004090400.tif 000009
【図８】
2004090400.tif 000010